(57)【要約】【課題】紙シワや段折れを抑制し，適切に三つ折りを行うことのできる紙折り装置を提供すること。【解決手段】紙折り装置１は，用紙受け入れ経路Ｌに沿って互いに接触して配置されたローラ１１，１２と，ローラ１２に接触するとともにローラ１１に接触しない位置であって，ローラ１２から見て用紙受け入れ経路Ｌの反対側の位置に配置されたローラ１３と，用紙受け入れ経路Ｌから見てローラ１１，１２の反対側に位置し，ローラ１１，１２の間のニップ部１８に対し近接および待避するチョッパ１５と，チョッパ１５の延長線から見てローラ１２，１３の反対側に位置し，ローラ１２，１３の間のニップ部１９に対し近接および待避するチョッパ１６と，チョッパ１５の延長線から見てローラ１２，１３の反対側の位置であって，チョッパ１６よりローラ１３の側に位置し，ローラ１３に近接および待避するガイド２１とを有する。【選択図】図１
2012126553.tif 000002
【特許請求の範囲】
【請求項１】
用紙を２つの搬送ローラの間のニップに挟むことにより，その箇所において用紙を折り曲げる紙折り装置において，
用紙受け入れ経路に沿って互いに接触して配置された第１の搬送ローラおよび第２の搬送ローラと，
前記第２の搬送ローラに接触するとともに前記第１の搬送ローラに接触しない位置であって，前記第２の搬送ローラから見て用紙受け入れ経路の反対側の位置に配置された第３の搬送ローラと，
用紙受け入れ経路から見て前記第１の搬送ローラおよび前記第２の搬送ローラの反対側に位置し，前記第１の搬送ローラと前記第２の搬送ローラとの間の第１のニップ部に対し近接および待避する第１のチョッパと，
前記第１のチョッパの移動経路の延長線から見て前記第２の搬送ローラおよび前記第３の搬送ローラの反対側に位置し，前記第２の搬送ローラと前記第３の搬送ローラとの間の第２のニップ部に対し近接および待避する第２のチョッパと，
前記第１のチョッパの移動経路の延長線から見て前記第２の搬送ローラおよび前記第３の搬送ローラの反対側の位置であって，前記第２のチョッパより前記第３の搬送ローラの側に位置し，前記第３の搬送ローラに近接および待避する用紙ガイドとを有することを特徴とする紙折り装置。
【請求項２】
請求項１に記載の紙折り装置において，
前記用紙ガイドの前記第３の搬送ローラ側の面は，前記第２搬送ローラの外形に沿った凹面であることを特徴とする紙折り装置。
【請求項３】
請求項１または請求項２に記載の紙折り装置において，
前記用紙ガイドは，前記第２のチョッパに対して摺動可能に取り付けられていることを特徴とする紙折り装置。
【請求項４】
請求項１から請求項３までのいずれか１つに記載の紙折り装置において，
前記用紙ガイドは，前記第３の搬送ローラ側の面における，通紙範囲の外側の位置に，前記第３の搬送ローラに向かって突出する突出部が形成されているものであることを特徴とする紙折り装置。
【請求項５】
請求項１から請求項４までのいずれか１つに記載の紙折り装置において，
前記第１のチョッパと前記第２のチョッパと前記用紙ガイドとの移動を制御する制御部を有し，
前記制御部の制御内容は，
前記第１のチョッパと前記第２のチョッパと前記用紙ガイドとをいずれも待避状態とし，
用紙が，用紙受け入れ経路における，前記第１のチョッパと対面する位置と前記第２の搬送ローラ側の端部との間の長さが，前記第１のチョッパと対面する位置と前記第１の搬送ローラ側の端部との間の長さより長くなる位置に停止した状態で，
前記第１のチョッパを近接状態とすることにより，用紙における前記第１のチョッパと対面する位置に第１の折り目を付けて前記第１のニップ部に進入させ，
用紙における前記第１の搬送ローラ側の端部であった箇所が前記第２のチョッパと対面する位置を過ぎてから，
前記第２のチョッパおよび前記用紙ガイドを近接状態とすることにより，用紙における前記第２のチョッパと対面する位置に第２の折り目を付けて前記第２のニップ部に進入させ，
その後に前記第２のチョッパおよび前記用紙ガイドを待避状態とすることであることを特徴とする紙折り装置。
【請求項６】
請求項５に記載の紙折り装置において，
前記制御部は，前記第２のチョッパおよび前記用紙ガイドを待避状態とするに際し，まず前記第２のチョッパを待避状態とし，その後に前記用紙ガイドを待避状態とすることを特徴とする紙折り装置。
【発明の詳細な説明】
【技術分野】
【０００１】
本発明は，例えば画像形成装置等の後処理装置に設けられる紙折り装置に関する。さらに詳細には，用紙を三つ折りするための紙折り装置に関するものである。
【背景技術】
【０００２】
従来より，画像形成装置等の後処理装置には，画像形成部において画像が形成された用紙を折るための紙折り装置が設けられているものがある。紙折り装置としては，用紙を２つのローラの間に挟み付けることによって折り曲げるものが広く使用されている。さらに，用紙の折り線となる箇所を，２つのローラの間に押し込むチョッパを有するものもある。
【０００３】
画像形成装置の紙折り装置としては，２つ折りにするもののみでなく，用紙の２箇所を折り，用紙の一端部を内側に巻き込むように折り込む三つ折りを行うものがある。例えば，特許文献１には，図５に示すように，３つのローラ１０１，１０２，１０３と２つのチョッパ１０５，１０６とを有している紙折り装置が開示されている。この紙折り装置では，ローラ１０２，１０３は，ローラ１０１を中心に互いに略直角をなす位置に配置されている。紙折り処理時には各ローラ１０１，１０２，１０３は，それぞれ図中に矢印で示すように回転される。
【０００４】
この装置によれば，用紙Ｐが，図中に破線で示すように，ローラ１０１，１０２と並ぶ位置に来たときに，チョッパ１０５が図中で左向きに駆動される。これにより，用紙Ｐの第１の折り位置が，ローラ１０１，１０２の間に押し込まれる。用紙Ｐは，第１の折り位置Ｐｓを先頭に，ローラ１０１，１０２によって搬送され，図中に実線で示すように，ローラ１０１，１０３に並ぶ位置まで送られる。続いて，チョッパ１０６によって，第２の折り位置がローラ１０１，１０３の間に押し込まれる。これにより，用紙Ｐは三つ折りされる。
【先行技術文献】
【特許文献】
【０００５】
【特許文献１】特許第４１４４４９６号公報（図９）
【発明の概要】
【発明が解決しようとする課題】
【０００６】
しかしながら，前記した従来の紙折り装置に，例えば端部がカールした用紙が挿入された場合等に，紙シワや段折れ等が発生するという問題点があった。つまり，第１の折りによって折り込まれている用紙の端部がカールによって浮き上がると，第２の折り動作に追随しきれず，シワになるのである。
【０００７】
本発明は，前記した従来の紙折り装置が有する問題点を解決するためになされたものである。すなわちその課題とするところは，紙シワや段折れを抑制し，適切に三つ折りを行うことのできる紙折り装置を提供することにある。
【課題を解決するための手段】
【０００８】
この課題の解決を目的としてなされた本発明の紙折り装置は，用紙を２つの搬送ローラの間のニップに挟むことにより，その箇所において用紙を折り曲げる紙折り装置において，用紙受け入れ経路に沿って互いに接触して配置された第１の搬送ローラおよび第２の搬送ローラと，第２の搬送ローラに接触するとともに第１の搬送ローラに接触しない位置であって，第２の搬送ローラから見て用紙受け入れ経路の反対側の位置に配置された第３の搬送ローラと，用紙受け入れ経路から見て第１の搬送ローラおよび第２の搬送ローラの反対側に位置し，第１の搬送ローラと第２の搬送ローラとの間の第１のニップ部に対し近接および待避する第１のチョッパと，第１のチョッパの移動経路の延長線から見て第２の搬送ローラおよび第３の搬送ローラの反対側に位置し，第２の搬送ローラと第３の搬送ローラとの間の第２のニップ部に対し近接および待避する第２のチョッパと，第１のチョッパの移動経路の延長線から見て第２の搬送ローラおよび第３の搬送ローラの反対側の位置であって，第２のチョッパより第３の搬送ローラの側に位置し，第３の搬送ローラに近接および待避する用紙ガイドとを有するものである。
【０００９】
本発明の紙折り装置によれば，第１，第２の搬送ローラと第１のチョッパとによって，用紙に第１の折りを施すことができる。それに続けて，第２，第３の搬送ローラと第２のチョッパとによって，用紙に第２の折りを施すことができる。そして，この２回の折りによって，用紙は三つ折りされる。さらに，本発明の紙折り装置は，用紙ガイドを有しているので，第２の折りを施す際にこれを近接状態とすれば，用紙の端部を適切にガイドすることができる。すなわち，第２の折りによって巻き込まれるべき端部の浮き上がりを防止し，第２のニップ部に適切に進入させることができる。従って，紙シワや段折れを抑制し，適切に三つ折りを行うことのできる紙折り装置となっている。
【００１０】
さらに本発明では，用紙ガイドの第３の搬送ローラ側の面は，第２搬送ローラの外形に沿った凹面であることが望ましい。
このようになっていれば，用紙は，用紙ガイドの第３の搬送ローラ側の面と第２搬送ローラの外形との間をスムーズに通ることができる。
【００１１】
さらに本発明では，用紙ガイドは，第２のチョッパに対して摺動可能に取り付けられていることが望ましい。
このようになっていれば，用紙ガイドと第２のチョッパとは，互いに独立に移動できる。
【００１２】
さらに本発明では，用紙ガイドは，第３の搬送ローラ側の面における，通紙範囲の外側の位置に，第３の搬送ローラに向かって突出する突出部が形成されているものであることが望ましい。
このようになっていれば，突出部が第３の搬送ローラに当接することにより，用紙ガイドの第３の搬送ローラ側の面と第３の搬送ローラの外面との間に隙間ができる。さらに突出部は，通紙範囲の外側の位置であるので，突出部と用紙とが接触することはない。従って，その隙間に用紙を通すことができる。
【００１３】
さらに本発明では，第１のチョッパと第２のチョッパと用紙ガイドとの移動を制御する制御部を有し，制御部の制御内容は，第１のチョッパと第２のチョッパと用紙ガイドとをいずれも待避状態とし，用紙が，用紙受け入れ経路における，第１のチョッパと対面する位置と第２の搬送ローラ側の端部との間の長さが，第１のチョッパと対面する位置と第１の搬送ローラ側の端部との間の長さより長くなる位置に停止した状態で，第１のチョッパを近接状態とすることにより，用紙における第１のチョッパと対面する位置に第１の折り目を付けて第１のニップ部に進入させ，用紙における第１の搬送ローラ側の端部であった箇所が第２のチョッパと対面する位置を過ぎてから，第２のチョッパおよび用紙ガイドを近接状態とすることにより，用紙における第２のチョッパと対面する位置に第２の折り目を付けて第２のニップ部に進入させ，その後に第２のチョッパおよび用紙ガイドを待避状態とすることであることが望ましい。
このようにすれば，用紙にまず第１の折り目を付け，第１の折り目からの長さが短い方の用紙の端部を内側に巻き込んで，第２の折り目を付けることができる。そして，第２の折り目を付けるときには，用紙ガイドが近接状態にあるので，用紙のうちの巻き込むべき端部を，第２のニップ部に適切に進入させることができる。
【００１４】
さらに本発明では，制御部は，第２のチョッパおよび用紙ガイドを待避状態とするに際し，まず第２のチョッパを待避状態とし，その後に用紙ガイドを待避状態とすることが望ましい。
このようにすれば，用紙に第２の折り目を付けて第２のニップ部に進入させた後も，用紙における第１の搬送ローラ側の端部であった箇所は，用紙ガイドによって第２のニップ部に導かれる。従って，紙シワや段折れを抑制できる。
【発明の効果】
【００１５】
本発明の紙折り装置によれば，紙シワや段折れを抑制し，適切に三つ折りを行うことができる。
【図面の簡単な説明】
【００１６】
【図１】本形態の紙折り装置を示す概略構成図である。
【図２】紙折り動作を示す説明図である。
【図３】紙折り動作を示す説明図である。
【図４】紙折り動作を示す説明図である。
【図５】従来の紙折り装置を示す説明図である。
【図６】従来の紙折り装置を示す説明図である。
【図７】従来の紙折り装置を示す説明図である。
【発明を実施するための形態】
【００１７】
以下，本発明を具体化した最良の形態について，添付図面を参照しつつ詳細に説明する。本形態は，画像形成装置に取り付けられる紙折り装置に本発明を適用したものである。      
【００１８】
本形態の紙折り装置１は，図１に示すように，３つのローラ１１，１２，１３と，２つのチョッパ１５，１６を有している。３つのローラ１１，１２，１３は，互いに平行であり，かつ，ローラ１１，１３の軸位置は，ローラ１２から見て互いに略直角となる位置に配置されている。ローラ１２から見て，ローラ１１は図中上方，ローラ１３は図中左方に配置されている。そして，ローラ１１と１２とはニップ部１８において接触している。また，ローラ１２と１３とは，ニップ部１９において接触している。
【００１９】
さらに，紙折り装置１が折り動作の対象となる用紙を受け入れる際の用紙受け入れ経路Ｌは，図１に破線で示すように，ローラ１１，１２から見てローラ１３の反対側の位置であって，ローラ１１，１２とチョッパ１５との間に配置されている。本形態の紙折り装置１では，その動作時に用紙は，用紙受け入れ経路Ｌをローラ１２の側からローラ１１の側へ向かって搬送されてくる。なお，用紙は，紙折り装置１の動作時に用紙受け入れ経路Ｌにあればよく，ここに到達するまでの搬送方向は，図示の逆向きであってもよい。
【００２０】
そして，紙折り装置１の動作時には，これらのローラ１１，１２，１３は，図１中に矢印で示すように，それぞれ回転する。すなわち，ローラ１１と１３は，図中で時計回り方向に回転し，ローラ１２は，図中で反時計回り方向に回転する。従って，ニップ部１８およびニップ部１９のいずれにおいても，接触している両ローラの外面が同じ向きに移動する。
【００２１】
チョッパ１５，１６は，各ローラ１１，１２，１３の軸方向と平行に配置された板状の部材であり，図１ではその板面方向と平行な方向から見た様子が示されている。チョッパ１５は，その延長面内にニップ部１８を含む位置に，ローラ１１と１２より，ローラ１３の反対側に配置されている。チョッパ１５は，図示の待避位置と，ニップ部１８に近接する突出位置との間で移動する。チョッパ１６は，その延長面内にニップ部１９を含む位置に，ローラ１２と１３よりローラ１１の側に配置されている。チョッパ１６は，図示の待避位置と，ニップ部１９に近接する突出位置との間で移動する。
【００２２】
さらに本形態の紙折り装置１は，図１に示すように，ガイド２１を有している。ガイド２１は，チョッパ１６の図中で手前側の縁辺に，チョッパ１６の面よりローラ１１から遠い側に取り付けられている。ガイド２１は，チョッパ１６の縁辺に対して摺動する摺動部２４を有している。すなわち，ガイド２１は，摺動部２４によって，チョッパ１６に対して，チョッパ１６の移動方向と同方向に移動可能にされている。従って，チョッパ１６とガイド２１とを連動させて，一緒に移動させることができるとともに，別々に移動させることもできる。なお，ガイド２１の下面２２は，ローラ１３の外周面に沿った円筒の内周面の形状となっている。
【００２３】
また，ガイド２１の下面２２のうち，図１中で手前側の端部には，突出部２６，２７が形成されている。これらの突出部２６，２７は，ガイド２１を図中で下方へ下降させたとき，ローラ１３の軸方向について通紙範囲外の位置で，ローラ１３と接触する。例えば，ローラ１３として，その軸方向の端部にフランジが設けられているものを使用した場合には，そのフランジに突出部２６，２７が接触する。さらに，ガイド２１の下面２２のうち，図中で奥側の端部にも同様の突出部２６，２７が形成されている。
【００２４】
さらに，本形態の紙折り装置１は，図１に示すように，２つのチョッパ１５，１６と，ガイド２１の動きを制御する制御部３１を有している。制御部３１は，ローラ１１，１２，１３の回転をも制御するものであってもよい。制御部３１は，特に，チョッパ１６の移動とガイド２１の移動とのタイミングを制御する。
【００２５】
なお，チョッパ１５，１６は，各ローラの軸方向の全範囲にわたって設けられている１枚のものでもよいし，一体的に移動するようにされた複数個のものでもよい。ガイド２１も同様に，用紙経路の幅方向と平行に設けられた複数個のものであって，一体的に移動するようにされたものでもよい。ただし，チョッパ１５，１６，ガイド２１のいずれも，少なくとも軸方向の両端部には設けられていることが好ましい。これらは，少なくとも，各サイズの用紙について用紙経路の幅方向の端部となる箇所には設けられていることが好ましい。なお，用紙経路の幅方向は，各ローラの軸方向と同じ方向である。
【００２６】
次に，図２〜図４を参照して，本形態の紙折り装置１によって，用紙を三つ折りする三つ折り動作を説明する。折り動作の対象となる用紙は，例えば，この紙折り装置１に隣接して設けられている画像形成装置によって印刷がなされた用紙である。折り動作の対象である用紙Ｐは，この紙折り装置１に対して，図１中で下方から，ローラ１１，１２とチョッパ１５との間を通って，先端Ｐ１を先頭に上向きに進入する。
【００２７】
本形態の紙折り装置１では，この用紙Ｐの先端Ｐ１を内側に巻き込むように２回折り曲げることにより，２回の折り動作によって三つ折りを行う。そのために，１回目の折り動作では，紙折り装置１は，用紙Ｐの搬送方向について先端Ｐ１から３分の１程度の位置である第１の折り位置において用紙Ｐを折る。２回目の折り動作では，紙折り装置１は，先端Ｐ１から３分の２程度の位置である第２の折り位置を，先端Ｐ１を巻き込む向きに折る。
【００２８】
紙折り装置１は，用紙Ｐの先端Ｐ１が，ローラ１１，１２の横を通り過ぎて，予め決めた位置まで進行したら，用紙Ｐの進行を停止させる。ここでは，チョッパ１５と並ぶ位置に第１の折り位置が位置するように停止位置が決定されている。複数枚を重ねて一度に折る場合には，紙折り装置１は順次到達する用紙Ｐを待機させ，同時に折る用紙Ｐをすべて重なった状態としてからこの停止位置に移動させる。あるいは，この停止位置に１枚ずつ順次重ねるようにしてもよい。さらに，紙折り装置１は，ローラ１１，１２，１３を，前述したようにそれぞれ回転させる。
【００２９】
次に，紙折り装置１の制御部３１は，図２に示すように，ニップ部１８に向かってチョッパ１５を突出させ，用紙Ｐをローラ１１，１２の間に押し込む。これにより，用紙Ｐの第１の折り位置Ｐ２は，ニップ部１８を越えてローラ１３の側へ押し出される。第１の折り位置Ｐ２がニップ部１８に噛み込まれたら，チョッパ１５は，待避位置に後退する。この段階では，チョッパ１６とガイド２１とはともに，ニップ部１８よりローラ１１の側（図中で上方）に待避している。
【００３０】
そして，用紙Ｐは，図２に示すように，第１の折り位置Ｐ２を先頭に，ローラ１１，１２の間を通ってローラ１３の側へ送られる。つまり，用紙Ｐは，第１の折り位置Ｐ２に折り線が形成され，それより先端Ｐ１側の部分が後ろ側へ折り返された状態となる。第１の折り線が形成された用紙Ｐは，ローラ１１，１２によってさらに搬送され，図３に示すように，ローラ１２，１３と，チョッパ１６やガイド２１との間の位置へ向かって進行する。このとき，用紙Ｐの元の先端Ｐ１は，第１の折り位置Ｐ２より後ろ側の部分よりローラ１１の側（図中で上方）に位置している。つまり，先端Ｐ１は，第１の折り位置Ｐ２より後ろ側の部分よりガイド２１に近い側に位置している。
【００３１】
次に，紙折り装置１の制御部３１は，図３に示すように，チョッパ１６とガイド２１とをともに，ローラ１３に近づく方へ移動させる。チョッパ１６は，第２の折り位置Ｐ３を形成するためのものである。本形態における三つ折り処理では，第２の折り位置Ｐ３は，第１の折り処理によって用紙Ｐの元の先端Ｐ１が配置された箇所よりやや後端側となる。
【００３２】
本形態の紙折り装置１では，図３に示すように，制御部３１がチョッパ１６とガイド２１とを，ローラ１２，１３の方へ向かって移動させると，用紙Ｐの元の先端Ｐ１が，ガイド２１の下面２２側に接触する。用紙Ｐがカールしていたり，先端Ｐ１が浮き上がっているものであっても，元の先端Ｐ１は，ガイド２１の下面２２の曲面に沿って，ニップ部１９の方へ向けられる。
【００３３】
制御部３１は，さらに，ガイド２１の突出部２６，２７がローラ１３の軸方向端部の外面に接触するまでガイド２１を移動させる。これにより，図４に示すように，ガイド２１の下面２２とローラ１３との間には，円筒面の一部の形状をなす空間ができる。そして，用紙Ｐの元の先端Ｐ１を含み第２の折り位置Ｐ３となる箇所より先端側の部分は，ガイド２１の下面２２とローラ１３との間に導かれる。このとき，第１の折り位置Ｐ２は，ニップ部１９よりローラ１３側に位置している。
【００３４】
また，制御部３１は，チョッパ１６をニップ部１９に向かって移動させる。そして，制御部３１は，図４に示すように，チョッパ１６によって，用紙Ｐをローラ１２，１３の間に押し込む。それによって，用紙Ｐの第２の折り位置Ｐ３が，ローラ１２，１３の間に押し込まれる。従って，用紙Ｐに第２の折り線が形成される。制御部３１は，第２の折り位置Ｐ３がニップ部１９に噛み込まれたら，チョッパ１６を待避位置に後退させる。
【００３５】
制御部３１は，ガイド２１を，チョッパ１６が後退した後もしばらく，ローラ１３の外面に接触する位置に残す。用紙Ｐは，ローラ１２，１３によって，第２の折り位置Ｐ３を先頭にニップ部１９を越えて送り出される。このとき，用紙Ｐの元の先端Ｐ１は，ガイド２１の下面２２によってローラ１３の外面に向かって押さえられている。すなわち，元の先端Ｐ１は，第２の折り位置Ｐ３に向けられているので，用紙Ｐの進行に従って，第２の折り位置Ｐ３より後端側の箇所に重なって進行する。
【００３６】
すなわち，用紙Ｐは，ローラ１２，１３によって，元の先端Ｐ１を内部に挟み込んで，第２の折り位置Ｐ３を先頭に図中下方へ向かって搬送される。これにより，用紙Ｐに三つ折りがなされたこととなる。本形態では，チョッパ１６とガイド２１とが摺動部２４によって互いに摺動するようにされているので，制御部３１は，これらをこのように別々に移動することができる。少なくともチョッパ１６が第２の折り位置Ｐ３をニップ部１９に押し込むときには，ガイド２１がローラ１３に近接しているようにすればよい。
【００３７】
本形態の紙折り装置１はガイド２１を有しているので，用紙Ｐのうち第２の折り位置より先端側の部分は，ガイド２１の下面２２とローラ１３との間に挟まれる。特に，第１の折りによって折り返されている用紙Ｐの先端Ｐ１は，チョッパ１６の進行方向に先端を向けて押さえられる。従って，チョッパ１６によって第２の紙折りが行われるときには，この先端Ｐ１は適切に第２の折り位置に挿入される。もし，紙折り装置がガイド２１を有していないとすると，図５または図６に示すように用紙の先端部を適切に挿入できないおそれがある。特に，用紙の先端部がカールしている場合には，先端部の段折れやカール部分のシワが発生しかねない。
【００３８】
以上詳細に説明したように本形態の紙折り装置１によれば，第２の紙折りを行う際に，ガイド２１によって，第１の折り線より用紙の先端側の部分が押さえられる。従って，用紙の先端部は，適切に第２の折り位置に挿入される。これにより，紙シワや段折れを抑制し，適切に三つ折りを行うことのできる紙折り装置となっている。
【００３９】
なお，本形態は単なる例示にすぎず，本発明を何ら限定するものではない。したがって本発明は当然に，その要旨を逸脱しない範囲内で種々の改良，変形が可能である。
【符号の説明】
【００４０】
１  紙折り装置
１１，１２，１３  ローラ
１５，１６  チョッパ
２１  ガイド
２２  下面
２６，２７  突出部
３１  制御部
【図１】
2012126553.tif 000003
【図２】
2012126553.tif 000004
【図３】
2012126553.tif 000005
【図４】
2012126553.tif 000006
【図５】
2012126553.tif 000007
【図６】
2012126553.tif 000008
【図７】
2012126553.tif 000009